(57)【要約】      （修正有）【課題】インストールと解体は簡単で、知的制御、熱発散効果が良いLEDシーリングライトを提供する。【解決手段】LEDシーリングライト主体１、LEDシーリングライト主体に配置されたランプハウジング２、LEDシーリングライト主体に配置されたシェード３、LEDシーリングライト主体に配置された基板４、LEDシーリングライト主体に配置された熱発散ファン５、LEDシーリングライト主体に配置された熱発散構造６を含み、ランプハウジング内にロケーションプレート７を設け、ロケーションプレートに固定輪８を設け、基板には縦板を設け、固定輪内にスライドレールを設け、縦板にスライドレールとスムーズに組み合わせたカードブロックを設け、基板に通し穴を設け、熱発散構造は通し穴に設けられ、熱発散構造は内サポート板、外サポート板、熱発散板と位置決め部１６から構成され、ランプハウジングの上部は熱発散構造と対応する所にスペーサ１７を有する。【選択図】図１
0003206160.tif 000002
【実用新案登録請求の範囲】
【請求項１】
LEDシーリングライトにおいて、
LEDシーリングライト主体、LEDシーリングライト主体に配置されたランプハウジング、LEDシーリングライト主体に配置されたシェード、LEDシーリングライト主体に配置された基板、LEDシーリングライト主体に配置された熱発散ファン、LEDシーリングライト主体に配置された熱発散構造を有し、前記のランプハウジング内にロケーションプレートを設け、前記のロケーションプレートに固定輪を設け、前記の基板には縦板を設け、前記の固定輪内にスライドレールを設け、前記の縦板に前記のスライドレールとスムーズに組み合わせたカードブロックを設け、前記の基板に通し穴を設け、前記の熱発散構造は通し穴に設けられ、前記の熱発散構造は内サポート板、外サポート板、熱発散板と位置決め部から構成され、前記の熱発散板は内サポート板と外サポート板の間に固定され、前記の位置決め部は外サポート板に設けられ、前記の位置決め部は基板に設けられ、前記のランプハウジングの上部は熱発散構造と対応する所にスペーサを有し、前記の熱発散ファンはスペーサに設けられ、前記のロケーションプレートにはネジ溝を設け、前記のシェードにネジ溝と組み合わせた固定プレートを設け、前記の基板の下部にコンデンサープレートを設け、前記の基板の下部にはLEDライトも設け、前記の内サポート板の内に温度センサーを設け、前記の基板に制御モジュールと制御回路を設け、前記の温度センサー、制御モジュール、制御回路と熱発散ファンは順次電気で組み合わせる
ことを特徴とするLEDシーリングライト。
【考案の詳細な説明】
【技術分野】
【０００１】
本発明は一種の熱発散を知的に制御するLEDシーリングライトに関する。
【背景技術】
【０００２】
LEDライトは高効率、低消耗、省エネ環境、長寿命などの特徴があるので、ますます世界各国に重視され、LEDシーリングライトはLEDを光源とし、吸着や組み込み方式で天井や壁にインストールされ、現在常用される室内（家庭、オフィス、娯楽場所などのように）の照明道具で、伝統的な照明道具により、省エネ、低炭素、長寿命、良い演色性、快速応答などのメリットがあります。LEDシーリングライトは室内の照明道具として、照明光度の需要を達成するため、通常大量のLEDランプビーズで特定の分布方式により、回路基板に取り付け光源を形成し、しかしLEDランプビーズ自体は発光角度の局限性のため、ライト全体を点した後、多くの場合には中や周辺は薄暗く、ライト全体の光は不均衡で、日常照明需要を満たすことができなく、また既存のシーリングライトのインストールは面倒でインストールの堅実性も人々の需要を満たすことができないです。
【０００３】
既存技術のLEDシーリングライトは一般的に構造設計が不合理で、その結果、照明道具の熱発散性がよくなく、LED光源温度が高すぎ、照明効果は良くないだけではなく、その上照明道具が正常に使用する寿命に影響を与えます。
【考案の概要】
【考案が解決しようとする課題】
【０００４】
本発明は解決する技術問題が、一種の構造が簡単で、使用が便利で、操作が簡単で、インストールと解体が便利で、全体構造強度が高く、構造が堅固で、熱発散効果が良く、熱発散効率を高め、コストが低く、照明効果が良く、光度が大きく、適用範囲が広く、使用寿命が長く、安全で信頼性の高い知的制御LEDシーリングライトを提供します。
【課題を解決するための手段】
【０００５】
上述の問題を解決するために、本発明は次の技術方策を採用する。一種の熱発散を知的に制御するLEDシーリングライトで、LEDシーリングライト主体、LEDシーリングライト主体に配置されたランプハウジング、LEDシーリングライト主体に配置されたシェード、LEDシーリングライト主体に配置された基板、LEDシーリングライト主体に配置された熱発散ファン、LEDシーリングライト主体に配置された熱発散構造を有します。前記のランプハウジング内にロケーションプレートを設け、前記のロケーションプレートに固定輪を設け、前記の基板には縦板を設け、前記の固定輪内にスライドレールを設け、前記の縦板に前記のスライドレールとスムーズに組み合わせたカードブロックを設け、前記の基板に通し穴を設け、前記の熱発散構造は通し穴に設けられ、前記の熱発散構造は内サポート板、外サポート板、熱発散板と位置決め部から構成され、前記の熱発散板は内サポート板と外サポート板の間に固定され、前記の位置決め部は外サポート板に設けられ、前記の位置決め部は基板に設けられ、前記のランプハウジングの上部は熱発散構造と対応する所にスペーサを有し、前記の熱発散ファンはスペーサに設けられ、前記のロケーションプレートにはネジ溝を設け、前記のシェードにネジ溝と組み合わせた固定プレートを設け、前記の基板の下部にコンデンサープレートを設け、前記の基板の下部にはLEDライトも設け、前記の内サポート板の内に温度センサーを設け、前記の基板に制御モジュールと制御回路を設け、前記の温度センサー、制御モジュール、制御回路と熱発散ファンは順次に電気で組み合わせます。
【０００６】
最適な技術方策として、前記のランプハウジングの上部には四つの設置ブラケットを設け、前記の四つの設置ブラケットは環状で均一的にランプハウジングの上部に設けられ、前記のランプハウジングにはLEDシーリングライト主体を固定するインストールボルトを設け、前記のインストールボルトはランプハウジングと設置ブラケットを貫通し設置され、前記のスペーサ外のランプハウジングには、空気が流れやすい通風孔を設け、前記の通風孔の内にはフィルターを設けます。
【０００７】
最適な技術方策として、前記のランプハウジングの下部にシールを設け、前記のシールはランプハウジング、位置決めプレートとシェードと密閉に配合し、前記のシールにはビジョウを設け、前記のランプハウジングに前記のビジョウと組み合わせた配合溝を設けます。
【０００８】
最適な技術方策として、前記の固定輪にカードブロックがスライドレールと組み合わせやすいボートを設け、前記のコンデンサープレートは環状で基板に設けられます。
【０００９】
最適な技術方策として、前記の位置決めプレートとランプハウジングは一回限りに流し込んで成型します。
【００１０】
最適な技術方策として、前記の設置ブラケットはランプハウジングに溶接されます。
【考案の効果】
【００１１】
本発明の一種の熱発散を知的に制御するLEDシーリングライトの有益な効果は、構造が簡単で、使用が便利で、操作が簡単で、インストールと解体が便利で、全体構造強度が高く、構造が堅固で、熱発散効果が良く、熱発散効果を高め、コストが低く、照明効果が良く、光度が大きく、適用範囲が広く、使用寿命が長く、安全で信頼性が高いです。
【図面の簡単な説明】
【００１２】
【図１】本発明の一種の熱発散を知的に制御するLEDシーリングライトの構造図。
【図２】本発明の一種の熱発散を知的に制御するLEDシーリングライトの熱発散構造構造図。
【図３】本発明の一種の熱発散を知的に制御するLEDシーリングライトの基板構造図。
【図４】本発明の一種の熱発散を知的に制御するLEDシーリングライトの局部拡大図。
【図５】本発明の一種の熱発散を知的に制御するLEDシーリングライトの固定輪構造図。
【考案を実施するための形態】
【００１３】
図１から図５までに示した一種の熱発散を知的に制御するLEDシーリングライトを参照し、LEDシーリングライト主体1、LEDシーリングライト主体1に配置されたランプハウジング2、LEDシーリングライト主体１に配置されたシェード3、LEDシーリングライト1に配置された基板4、LEDシーリングライト主体1に配置された熱発散ファン5、LEDシーリングライト主体1に配置された6を含みます。前記のランプハウジング2内にロケーションプレート7を設け、前記のロケーションプレート7に固定輪8を設け、前記の基板4には縦板9を設け、前記の固定輪8内にスライドレー10を設け、前記の縦板9に前記のスライドレール10とスムーズに組み合わせたカードブロック11を設け、前記の基板4に通し穴12を設け、前記の熱発散構造6は通し穴12に設けられ、前記の熱発散構造6は内サポート板13、外サポート板14、熱発散板15と位置決め部16から構成され、前記の熱発散板15は内サポート板13と外サポート板14の間に固定され、前記の位置決め部16は外サポート板14に設けられ、前記の位置決め部16は基板4に設けられ、前記のランプハウジング2の上部は熱発散構造6と対応する所にスペーサ17を有し、前記の熱発散ファン5はスペーサ17に設けられ、前記のロケーションプレート7にはネジ溝18を設け、前記のシェード3にネジ溝18と組み合わせた固定プレート19を設け、前記の基板4の下部にコンデンサープレート20を設け、前記の基板4の下部にはLEDライト21も設け、前記の内サポート板13の内に温度センサー131を設け、前記の基板4に制御モジュール101と制御回路102を設け、前記の温度センサー131、制御モジュール101、制御回路102と熱発散ファン5は順次に電気で組み合わせます。
【００１４】
本発明で１つの比較的に良い実施例で、前記のランプハウジング2の上部には四つの設置ブラケット22を設け、前記の四つの設置ブラケット22は環状で均一的にランプハウジング2の上部に設けられ、前記のランプハウジング2にはLEDシーリングライト主体1を固定するインストールボルト23を設け、前記のインストールボルト23はランプハウジング2と設置ブラケット22を貫通し設置され、前記のスペーサ17外のランプハウジング2には、空気が流れやすい通風孔24を設け、前記の通風孔24の内にはフィルターを設けます。（構造図がありません）
【００１５】
本発明で１つの比較的に良い実施例で、前記のランプハウジング2の下部にシール25を設け、前記のシール25はランプハウジング2、位置決めプレート7とシェード3と密閉に配合し、前記のシール25にはビジョウ26を設け、前記のランプハウジング2に前記のビジョウ26と組み合わせた配合溝27を設けます。
【００１６】
本発明で１つの比較的に良い実施例で、前記の固定輪8にカードブロック11がスライドレール10と組み合わせやすいボート28を設け、前記のコンデンサープレート20は環状で基板4に設けられます。
【００１７】
本発明で１つの比較的に良い実施例で、前記の位置決めプレート7とランプハウジング2は一回限りに流し込んで成型します。
【００１８】
本発明で１つの比較的に良い実施例で、前記の設置ブラケット22はランプハウジング2に溶接されます。
【００１９】
さらに、前記の基板の下部にコンデンサープレートを設けられ、基板に設けられたコンデンサープレートにより、このLEDシーリングライトの光を凝集することができ、乱視現象で照明効果を影響することを避け、それによってこのLEDシーリングライトの照明効果を増加します。
【００２０】
さらに、前記のランプハウジングの下部にシールを設けられ、前記のシールはランプハウジング、位置決めプレートとシェードと密閉に配合し、前記のシールにはビジョウを設けられ、前記のランプハウジングに前記のビジョウと組み合わせた配合溝を設けられ、前記のスペーサ外のランプハウジングには、空気が流れやすい通風孔を設けられ、前記の通風孔の内にはフィルターを設けられ、設けられたシールにより、このシーリングライトのシェールとランプハウジングの密封効果を増加することができ、設けられた通風孔により、シーリングライト内部と外部の空気交換を増加することができ、また通風孔の内にはフィルターを設けることにより、外部空気の異物がシーリングライトに入り、シーリングライトの後期の使用を影響することを避けることができます。
【００２１】
さらに、前記の基板の下部にコンデンサープレートを設けられ、前記のコンデンサープレートは環状で基板に設けられ、設けられたコンデンサープレートを通じ、シーリングライトが使用する時、乱視現象で照明効果を影響することを避けることができます。
【００２２】
本発明の一種の熱発散を知的に制御するLEDシーリングライトは以下のリメットがあり、使用時、熱発散構造を基板に設けることにより、このシーリングライトを使用する時、熱発散構造内に設けられた熱発散板を通じ、LEDライトを使用する時、ライトの外の熱量を徐々に吸収し、熱発散板は縦状で設けられ、熱発散板の熱発散面積を増加し、スペーサに設けられた熱発散ファンを通じ、熱発散ファンと熱発散板の配合により、熱発散板の熱量をこのシーリングライトから吹き出し、ランプハウジングに設けられた通風孔で、ファンは内部の熱気を吹き出した後、通風孔からシーリングライトの内部に外部の自然空気を送り、このシーリングライト内部と外部の空気流通と交換を増加し、それによってこのシーリングライトの熱発散効果を増加し、設けられた設置ブラケットとインストールボルトの配合を通じ、シーリングライトと天井を堅実に固定し、固定輪にスライドレールを設け、基板に縦板を設け、縦板にスライドレールと配合したカードブロックを設け、基板をインストールする時、先にカードブロックをボートに置き、また既定角度を回転し、カードブロックにスライドレールを配合回転させ、カードブロックはボートから離れ、基板は固定輪に掛けられ、温度センサーの信号により、そして制御モジュールで熱発散ファンの作業をコントロールします。その構造は簡単で、使用が便利で、操作が簡単で、インストールと解体が便利で、全体構造強度が高く、構造が堅実で、熱発散効果が良く、熱発散効果を高め、コストが低く、照明効果が良く、光度が大きく、適用範囲が広く、使用寿命が長く、安全で信頼できる役割を持っています。
【００２３】
上述のように、本発明の具体的な実施方式だけで、しかし本発明の保護範囲は決してこれに限らなく、いかなる創造的な労働を経過しなく考え付いた変化や替えは、全て本発明の保護範囲以内にカバーすべき、そのため、本発明の保護範囲は権利請求書に限定した保護範囲を基準とします。
【図２】
0003206160.tif 000003
【図１】
0003206160.tif 000004
【図３】
0003206160.tif 000005
【図４】
0003206160.tif 000006
【図５】
0003206160.tif 000007